(57)【要約】【課題】表示された画像の選択を容易にする操作入力装置を提供する。【解決手段】操作入力装置１は、図１（ａ）及び（ｂ）に示すように、操作面１００になされた操作を検出する検出部１０と、検出部１０により検出された操作が一本の指によるものである場合は、第１の座標系を設定し、検出部１０により検出された操作が複数の指によるものである場合は、第１の座標系と異なる第２の座標系を設定する設定部１２と、を備えて概略構成されている。【選択図】図１
2014071795.tif 000002
【特許請求の範囲】
【請求項１】
操作面になされた操作を検出する検出部と、
前記検出部により検出された操作が一つの検出対象物によるものである場合は、第１の座標系を設定し、前記検出部により検出された操作が複数の検出対象物によるものである場合は、前記第１の座標系とは異なる第２の座標系を設定する設定部と、
を備えた操作入力装置。
【請求項２】
前記設定部は、前記第１の座標系として絶対座標系を設定し、前記第２の座標系として相対座標系を設定する請求項１に記載の操作入力装置。
【請求項３】
第１の検出対象物により前記操作面になされた操作に基づいて、表示装置の表示画面に表示された第１の画像が選択され、続く第２の検出対象物により前記操作面に操作がなされて前記設定部により前記第２の座標系が設定された後、前記第２の検出対象物の操作の方向に位置する、前記第１の画像と隣り合う第２の画像を選択状態とするように被制御装置を制御する制御部を備えた請求項１又は２に記載の操作入力装置。
【発明の詳細な説明】
【技術分野】
【０００１】
本発明は、操作入力装置に関する。
【背景技術】
【０００２】
従来の技術として、タッチしたままの移動がそれまでの方向より変化すると、その変化に伴い、候補に割り当てられた範囲を拡大する割当範囲更新手段を備えた入力装置が知られている（例えば、特許文献１参照。）。
【０００３】
この入力装置の割当範囲更新手段は、タッチしたままの移動がそれまでの方向より変化した位置に割り当てられた文字、及び移動で通過した文字に、初期に割り当てられた範囲よりも広い範囲を割り当てるので、ユーザは思い通りの候補文字を選ぶことができる。
【先行技術文献】
【特許文献】
【０００４】
【特許文献１】特開２０１０−２７７２８２号公報
【発明の概要】
【発明が解決しようとする課題】
【０００５】
しかし、従来の入力装置は、移動で通過した文字が多くなると拡大された中から所望の文字を選択することが困難となる問題がある。
【０００６】
従って、本発明の目的は、表示された画像の選択を容易にする操作入力装置を提供することにある。
【課題を解決するための手段】
【０００７】
本発明の一態様は、操作面になされた操作を検出する検出部と、検出部により検出された操作が一つの検出対象物によるものである場合は、第１の座標系を設定し、検出部により検出された操作が複数の検出対象物によるものである場合は、第１の座標系とは異なる第２の座標系を設定する設定部と、を備えた操作入力装置を提供する。
【発明の効果】
【０００８】
本発明によれば、表示された画像の選択を容易にすることができる。
【図面の簡単な説明】
【０００９】
【図１】図１（ａ）は、実施の形態に係る操作入力装置を搭載した車両内部の概略図であり、（ｂ）は、操作入力装置のブロック図である。
【図２】図２（ａ）〜（ｃ）は、実施の形態に係る操作入力装置の動作について説明するための概略図である。
【図３】図３は、実施の形態に係る操作入力装置の動作に関するフローチャートである。
【図４】図４（ａ）〜（ｃ）は、実施の形態に係る操作入力装置の動作について説明するための概略図である。
【図５】図５（ａ）〜（ｃ）は、実施の形態に係る操作入力装置の動作について説明するための概略図である。
【発明を実施するための形態】
【００１０】
（実施の形態の要約）
実施の形態に係る操作入力装置は、操作面になされた操作を検出する検出部と、検出部により検出された操作が一つの検出対象物によるものである場合は、第１の座標系を設定し、検出部により検出された操作が複数の検出対象物によるものである場合は、第１の座標系とは異なる第２の座標系を設定する設定部と、を備える。
【００１１】
[実施の形態]
（操作入力装置１の構成）
図１（ａ）は、実施の形態に係る操作入力装置を搭載した車両内部の概略図であり、（ｂ）は、操作入力装置のブロック図である。図２（ａ）〜（ｃ）は、実施の形態に係る操作入力装置の動作について説明するための概略図である。この図２（ａ）〜（ｃ）は、左側には、表示装置３の表示画面３０が示され、右側には、操作入力装置１の操作面１００が示されている。また図２（ａ）〜（ｃ）では、表示画面３０の対応する位置に、操作面１００に操作を行っている第１の指７を二点鎖線で示している。なお、実施の形態に係る各図において、描かれた画像と画像との比率は、実際の比率とは異なる場合がある。
【００１２】
操作入力装置１は、図１（ａ）に示すように、車両５の運転席と助手席との間にのびるフロアコンソール５０に配置されている。
【００１３】
操作入力装置１は、例えば、電気的に接続された電子機器の操作、及び文字の入力等を行うことができるように構成されている。この操作入力装置１は、例えば、検出対象物である、導電性を有するペンや指による操作により、電子機器に電気的に接続され、車両５のセンターコンソール５１に配置された表示装置３に表示されたカーソルの移動や選択、表示されたアイコンのドラッグ、ドロップ等の操作を行うことができるように構成されている。本実施の形態では、検出対象物としての指による操作について説明する。
【００１４】
操作入力装置１は、操作面１００になされた操作を検出する検出部１０と、検出部１０により検出された操作が一つの検出対象物、つまり一本の指によるものである場合は、第１の座標系を設定し、検出部１０により検出された操作が複数の検出対象物、つまり複数の指によるものである場合は、第１の座標系と異なる第２の座標系を設定する設定部１２と、を備えて概略構成されている。本実施の形態では、複数の検出対象物として二本の指で操作する場合について説明する。
【００１５】
この第１の座標系は、一例として、絶対座標系である。この絶対座標系とは、図２（ａ）の左側に示す表示装置３の表示画面３０と、右側に示す操作面１００と、が１対１対応となる座標系である。絶対座標系では、一例として、操作者が、操作面１００の右上の隅をタッチすれば、表示画面３０の右上の隅にカーソルが移動したり、その位置にある選択可能なアイコンが選択状態になったりする。なお、このアイコンとは、例えば、表示画面３０上に、各種のデータや処理機能を絵又は文字として表示し、これが選択決定されることで、割り当てられたコマンドを処理させるものである。この選択とは、例えば、カーソルをアイコンに重ね、選択状態とすることである。また決定とは、例えば、選択されたアイコンを短い間隔で二回タッチ（ダブルタップ）することにより、そのアイコンに割り当てられたコマンドの処理を開始させることである。
【００１６】
また第２の座標系は、一例として、相対座標系である。この相対座標系とは、例えば、操作面１００をなぞった指の移動量に応じてカーソル等を移動させる座標系である。また相対座標系は、一例として、操作面１００になされたフリック操作やなぞり操作等に基づいて予め定められた処理を行う座標系である。例えば、操作者が、選択されたアイコンに隣接するアイコンを選択したい場合、絶対座標系では、隣接するアイコンまでの距離に応じて指を移動させる必要があるが、相対座標系では、隣接するアイコンの方向にフリック操作やなぞり操作等を行うだけで良い。このフリック操作とは、例えば、指で操作面１００を払うような操作である。また、なぞり操作とは、例えば、指で操作面１００をなぞるような操作であり、その移動量及び方向に基づいて、カーソル等を移動させることが可能となる。なお、なされた操作の一例として、フリック操作やなぞり操作を記載するが、操作は、これらに限定されない。
【００１７】
なお第１の座標系及び第２の座標系は、上記の例に限定されず、任意の座標系で良い。例えば、第１の座標系が、相対座標系で、第２の座標系が、操作面１００に接触する一の指の検出点を中心とする極座標系であっても良い。
【００１８】
（検出部１０の構成）
検出部１０は、例えば、操作者が指で操作面１００に触れることにより、触れた操作面１００上の位置（検出点）を検出するタッチセンサである。操作者は、例えば、操作面１００に操作を行うことにより、接続された電子機器の操作を行うことが可能となる。検出部１０としては、例えば、マルチタッチを検出可能な周知の抵抗膜方式、赤外線方式、ＳＡＷ（Surface Acoustic Wave）方式、静電容量方式等のタッチパネルを用いることが可能である。
【００１９】
このマルチタッチとは、例えば、複数の指でなされた操作を示している。またシングルタッチとは、例えば、一本の指でなされた操作を示している。なお、以下では、二本指でなされた操作をマルチタッチと呼ぶものとする。
【００２０】
本実施の形態に係る検出部１０は、一例として、操作面１００に指が近づくことによる、センサワイヤと指との距離に反比例した電流の変化を検出する静電容量方式のタッチパネルである。検出部１０は、図１（ｂ）に示すように、操作面１００の左上を原点とし、横方向にｘ軸、縦方向にｙ軸が設定されている。
【００２１】
図１（ｂ）に示すｘ軸に垂直な方向には、例えば、ｍ個のセンサワイヤ１０１が等間隔で並べられている。このｍは、例えば、正の整数である。また、図１（ｂ）に示すｙ軸に垂直な方向には、例えば、ｎ個のセンサワイヤ１０２が等間隔で並べられている。このｎは、例えば、正の整数である。
【００２２】
ｘ軸に垂直な方向に並べられたセンサワイヤ１０１は、例えば、ｙ軸に垂直な方向に並べられたセンサワイヤ１０２よりも操作面１００に近い層に形成されている。また、センサワイヤ１０１は、例えば、センサワイヤ１０２と電気的に絶縁されている。
【００２３】
このセンサワイヤ１０１及びセンサワイヤ１０２は、図１（ｂ）に示すように、駆動制御部１１０に電気的に接続されている。この駆動制御部１１０は、例えば、ｘ軸に垂直な方向のセンサワイヤ１０１を駆動し、ｙ軸に垂直な方向のセンサワイヤ１０２により静電容量値（検出値）を読み出すように構成されている。この駆動制御部１１０は、例えば、電源部１６からの電流に基づいてセンサワイヤ１０１を駆動するように構成されている。この検出部１０は、一例として、ラインスキャン方式を用いたタッチパネルとして構成されている。
【００２４】
この検出部１０は、例えば、図１（ｂ）に示すように、制御部１４に電気的に接続されている。検出部１０は、制御部１４から出力される駆動制御信号に基づいて検出値の読み出しを行うように構成されている。
【００２５】
また検出部１０は、設定部１２に電気的に接続されている。検出部１０は、読み出した検出値を設定部１２に出力するように構成されている。
【００２６】
（設定部１２の構成）
設定部１２は、例えば、検出部１０から取得した検出値に基づいて、操作入力装置１の座標系を設定するように構成されている。また設定部１２は、例えば、取得した検出値に基づいて算出された検出点の情報である検出点情報と、検出値に基づいて設定した座標系の情報である座標系情報と、を制御部１４に出力するように構成されている。この設定部１２は、例えば、操作の有無を判定するために用いられるしきい値１２０と、後述する第１の規定時間１２１、第２の規定時間１２２及び規定距離１２３と、を備えている。
【００２７】
具体的には、設定部１２は、取得した検出値と、しきい値１２０と、を比較することにより操作の有無を判定する。また設定部１２は、操作がなされたと判定した場合、判定に用いた検出値に基づいて検出点を算出し、これを記憶するように構成されている。なお、この設定部１２は、例えば、第１の座標系における検出点を算出するように構成されている。設定部１２は、算出された検出点が１つであればシングルタッチと判定し、２つ以上であればマルチタッチと判定する。設定部１２は、判定結果に基づいて、一本の指で操作が行われている間は、絶対座標系を設定し、二本の指で操作が行われている間は、相対座標系を設定する。
【００２８】
設定部１２は、例えば、座標系が第１の座標系である場合、意図せず二本目の指が操作面１００に触れて、座標系が切り替わってしまうことを避けるために用いられる第１の規定時間１２１を備えている。設定部１２は、例えば、座標系が第１の座標系である状態で、新たに検出された二本目の指のタッチ時間が、第１の規定時間１２１以内である場合、意図しない指の接触が生じたとして座標系の切り替えを行わないように構成されている。また、設定部１２は、例えば、二本目の指のタッチ時間が、第１の規定時間１２１より長い場合、意図して二本目の指を操作面１００に接触させたとして第１の座標系から第２の座標系に切り替えるように構成されている。
【００２９】
設定部１２は、例えば、座標系が第２の座標系である場合、意図せず二本目の指が操作面１００から離れて検出されなくなり、座標系が切り替わってしまうことを避けるために用いられる第２の規定時間１２２及び規定距離１２３を備えている。この第２の規定時間１２２及び規定距離１２３は、例えば、意図せず指が離れて座標系が切り替わるのを避けるのみならず、フック操作を繰り返す際に指が離れて一本になる場合、及びなぞり操作を繰り返す際に指が離れて一本になる場合等においても、意図しない座標系の切り替わりを避けるために設定されている。
【００３０】
具体的には、設定部１２は、例えば、座標系が第２の座標系である状態で、指が離れることによる一本の指でのタッチ時間が、第２の規定時間１２２以内で、かつ一本の指での操作距離が規定距離１２３以下である場合、二本の指での操作が継続しているとして座標系の切り替えを行わないように構成されている。また、設定部１２は、例えば、一本の指でのタッチ時間が、第２の規定時間１２２より長い場合、意図して二本目の指を離したとして第２の座標系から第１の座標系に切り替えるように構成されている。さらに設定部１２は、例えば、一本の指での操作距離が、規定距離１２３より長い場合、意図して二本目の指を離したとして第２の座標系から第１の座標系に切り替えるように構成されている。
【００３１】
（制御部１４の構成）
制御部１４は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。このＲＯＭには、例えば、制御部１４が動作するためのプログラムが格納されている。ＲＡＭは、例えば、一時的に演算結果等を格納する記憶領域として用いられる。また制御部１４は、その内部にクロック信号を生成する手段を有し、このクロック信号に基づいて動作を行う。
【００３２】
制御部１４は、一例として、設定部１２を介して検出点情報を取得する。制御部１４は、この検出点情報と座標系情報に基づいて設定された座標系における検出点の座標を算出する。
【００３３】
つまり制御部１４は、例えば、絶対座標系の場合、操作面１００に設定されたｘｙ座標系の座標を表示画面３０の座標系の座標に変換する。この表示画面３０の座標系は、例えば、ｘｙ座標系を拡大したものとなる。
【００３４】
また制御部１４は、例えば、相対座標系でなぞり操作が行われた場合、ｘｙ座標系の移動量に応じて表示画面３０に表示されたカーソルを移動させたり、移動量に応じた距離にあるアイコンを選択状態にしたりする。
【００３５】
制御部１４は、画像情報１４０を有している。この画像情報１４０は、操作入力装置１が接続された電子機器から取得したものである。画像情報１４０は、電子機器が接続された表示装置３の表示画面３０に表示される表示画像３１の情報である。また画像情報１４０は、表示画像３１を構成するアイコン等の情報を含んでいる。制御部１４は、検出点情報から算出した検出点の座標と、画像情報１４０と、を比較することにより、アイコンの選択等を判断する。
【００３６】
ここで、操作者が、例えば、図２（ａ）に示すように、表示画面３０に表示される５０音の中から文字を選択する際、操作面１００の大きさによっては、所望の文字の選択が困難な場合がある。特に、座標系が絶対座標系である場合、操作者は、所望の文字に対応する操作面１００の小さな領域に操作を行わなければならない。
【００３７】
本実施の形態では、操作入力装置１は、操作者が、第１の指７による操作に続いて、第２の指８を操作面１００に接触させることで、座標系を切り替え、さらに第１の指７又は第２の指８でフリック操作やなぞり操作等を行うことで、第１の指７で選択したアイコンの近傍の所望のアイコンを選択させることが可能となるように構成されている。つまり操作は、第１の指７でなされても、第２の指８でなされても良い。また、さらに複数の指（三本以上の指）が検出された場合、操作入力装置１は、第１の座標系から第２の座標系に座標系を切り替え、複数の指の少なくとも一本の指でフリック操作やなぞり操作等を行うことで、第１の指７で選択したアイコンの近傍の所望のアイコンを選択させることが可能となるように構成されている。
【００３８】
具体的には、例えば、操作者が、図２（ａ）に示すように、アイコン３３の「む」を選択するつもりで操作面１００に、第１の指７により操作を行ったところ、アイコン３２の「め」が選択されたとする。操作者は、図２（ｂ）に示すように、第２の指８を操作面１００に接触させる。設定部１２は、この接触により、座標系を第１の座標系から第２の座標系に切り替える。続いて、操作者は、「む」を選択するため、図２（ｂ）の紙面上方向に第２の指８でフリック操作やなぞり操作等を行う。これは、「む」は、「め」の上に位置するからである。制御部１４は、座標系情報、検出値及び画像情報１４０に基づいて「め」よりも上にある「む」が選択されるように電子機器を制御する制御信号を生成して出力する。表示装置３は、この制御信号に基づいて図２（ｃ）に示すように、「む」を選択状態とする表示画像３１を表示する。
【００３９】
なお操作者が複数の指で操作面１００にタッチした場合、操作入力装置１は、第１の座標系から第２の座標件に切り替えるように構成されている。つまり、座標系の切り替えは、一例として、一本の指を検出した後に二本目の指が検出された場合と、複数の指が検出された場合と、で行われ、必ずしも一本目の指が検出されることが条件ではない。
【００４０】
以下では、本実施の形態に係る操作入力装置１の動作について、各図を参照しながら図３のフローチャートに従って説明する。以下に説明する動作は、５０音から所望の文字を選択する動作である。
【００４１】
（動作）
操作入力装置１は、車両５の電源が投入されると、電源部１６を介して電圧が印加される。操作入力装置１の制御部１４は、クロック信号に基づいて駆動制御信号を生成し、駆動制御部１１０に出力する。また設定部１２は、絶対座標系に基づく座標系情報を生成して制御部１４に出力する。
【００４２】
駆動制御部１１０は、駆動制御信号に基づいてセンサワイヤ１０１を駆動し、センサワイヤ１０２の静電容量値を読み出して、検出値として設定部１２に出力する。
【００４３】
設定部１２は、しきい値１２０及び検出値に基づいてタッチが検出されたか否かを判定する。設定部１２は、ステップ１において「Ｙｅｓ」が成立する、すなわち、タッチが検出されると（Ｓ１：Ｙｅｓ）、現在設定されている座標系を確認する。設定部１２は、現在設定されている座標系が第１の座標系である、つまり絶対座標系である場合（Ｓ２：Ｙｅｓ）、操作面１００にタッチしている指の本数を確認する。
【００４４】
設定部１２は、操作面１００にタッチしている指が一本である場合（Ｓ３：Ｙｅｓ）、座標系を変換する必要がないため、第１の座標系を示す座標系情報と、検出点情報と、を制御部１４に出力する。
【００４５】
制御部１４は、設定部１２から取得した検出点情報及び座標系情報に応じて指の操作方向と移動量に基づいて予め定められた処理を実行する（Ｓ４）。操作者が、例えば、図２（ａ）に示すように、アイコン３２の「め」に対応する操作面１００の位置から操作面１００の左上までなぞり操作を行った場合、制御部１４は、指の操作方向と移動量に基づいて、なぞり操作の終点に位置するアイコン３４の「わ」を選択状態とさせる制御信号を生成して電子機器に出力する。つまり、この場合、予め定められた処理とは、なぞり操作の終点に位置するアイコンを選択状態とさせる制御信号を出力することである。
【００４６】
ここで、ステップ１において、タッチが検出されない場合（Ｓ１：Ｎｏ）、設定部１２は、その時点での座標系が、第１の座標系である場合は、第１の座標系を示す座標系情報を出力し、第２の座標系である場合は、第１の座標系に切り替える座標系情報を制御部１４に出力する（Ｓ５）。
【００４７】
またステップ２において、設定されている座標系が、第１の座標系ではない場合（Ｓ２：Ｎｏ）、つまりその時点における座標系が第２の座標系である場合、設定部１２は、操作面１００にタッチしている指の本数を確認する。このステップ２の「Ｎｏ」に関するフローは、主に、二本目の指が検出された後における処理を示している。つまり、当該フローは、主に、例えば、操作者の指が意図せず操作面１００から離れても、座標系を切り替えないようにする処理を示している。
【００４８】
次に、設定部１２は、操作面１００にタッチしている指が１本である場合（Ｓ６：Ｙｅｓ）、記憶されている検出点に基づいて、タッチ時間が第１の規定時間１２１以内であるか否かを判定する。設定部１２は、タッチ時間が第１の規定時間１２１以内である場合（Ｓ７：Ｙｅｓ）、さらに操作距離が規定距離１２３以内であるか否かを判定する。設定部１２は、操作距離が規定距離１２３以内である場合（Ｓ８：Ｙｅｓ）、複数指での操作が継続していると判定して、座標系を切り替えずに第２の座標系を示す座標系情報と検出点情報とを制御部１４に出力する。
【００４９】
また設定部１２は、操作面１００にタッチしている指が複数の場合（Ｓ６：Ｎｏ）、第２の座標系を示す座標系情報と検出値とを制御部１４に出力する。
【００５０】
次に、制御部１４は、設定部１２から取得した検出点情報及び座標系情報に応じて指の操作方向と移動量に基づいて予め定められた処理を実行する（Ｓ９）。具体的には、操作者が、図２（ｂ）及び（ｃ）に示すように、アイコン３３の「む」を選択するために、第２の指８を「む」に向かう方向にフリック操作やなぞり操作等を行う。制御部１４は、移動した指の操作方向に位置する「む」を選択状態とさせる制御信号を生成して電子機器に出力する。つまり、この場合、予め定められた処理とは、移動した指の方向に位置するアイコンを選択状態とさせる制御信号を出力することである。
【００５１】
また操作者が、「へ」を選択する場合は、第２の指８を「へ」に向かう方向にフリック操作やなぞり操作等を行う。さらに操作者が、「ま」を選択する場合は、現在選択されている「め」から３つ目のアイコンが「ま」なので、第２の指８を上方向に３回フリック操作やなぞり操作等を行えば良い。
【００５２】
操作者は、所望した「む」が選択状態となったので、操作面１００から第１の指７及び第２の指８を離して選択に関する操作を終了する。
【００５３】
ここで、ステップ７において、タッチ時間が第２の規定時間１２２より長い場合（Ｓ７：Ｎｏ）、設定部１２は、二本の指による操作が終了し、一本の指による操作がなされたと判定して、第２の座標系から第１の座標系に座標系を切り替える座標系情報を生成して、検出点情報と共に制御部１４に出力する（Ｓ１０）。
【００５４】
またステップ８において、操作距離が規定距離１２３より長い場合（Ｓ８：Ｎｏ）、設定部１２は、二本の指による操作が終了し、一本の指による操作がなされたと判定して、第２の座標系から第１の座標系に座標系を切り替える座標系情報を生成して、検出点情報と共に制御部１４に出力する（Ｓ１１）。
【００５５】
ここで、ステップ３において、設定部１２は、操作面１００にタッチしている指が複数の場合（Ｓ３：Ｎｏ）、記憶された検出点に基づいてタッチ本数が複数となる時間が第１の規定時間１２１以内であるか否かを判定する。設定部１２は、タッチ本数が複数となる時間が第１の規定時間１２１以内である場合（Ｓ１２：Ｙｅｓ）、意図した操作ではないとして、座標系を切り替えない座標系情報と、検出点情報と、を制御部１４に出力する。また、設定部１２は、タッチ本数が複数となる時間が第１の規定時間１２１よりも長い場合（Ｓ１２：Ｎｏ）、意図的な操作であるとして、第１の座標系から第２の座標系に切り替える座標系情報と、検出点情報と、を制御部１４に出力する。
【００５６】
操作入力装置１は、図３に示すように、電源が投入されている期間、上記の処理を繰り返し行う。
【００５７】
続いて、以下では、メニュー画像３５から所望のメニューのアイコンを選択する動作について説明する。なお、以下では、上記の動作を基礎として、操作装置１の動作の概要を説明するものとする。
【００５８】
図４（ａ）〜（ｃ）は、実施の形態に係る操作入力装置の動作について説明するための概略図である。この図４（ａ）〜（ｃ）は、左側には、表示装置３の表示画面３０が示され、右側には、操作入力装置１の操作面１００が示されている。
【００５９】
表示画面３０には、図４（ａ）〜（ｃ）に示すように、「Ａ」〜「Ｋ」までのメニューを有するメニュー画像３５が表示されている。
【００６０】
操作者が、図４（ａ）に示すように、アイコン３７の「Ｈ」を選択するつもりで操作面１００に、第１の指７により操作を行ったところ、アイコン３６の「Ｇ」が選択されたとする。
【００６１】
操作者は、図４（ｂ）に示すように、第２の指８を操作面１００に接触させる。
【００６２】
設定部１２は、この接触により、座標系を第１の座標系から第２の座標系に切り替える。
【００６３】
次に、操作者は、「Ｈ」を選択するため、図４（ｂ）の紙面下方向に第２の指８でフリック操作やなぞり操作等を行う。これは、「Ｈ」は、「Ｇ」の下に位置するからである。
【００６４】
制御部１４は、座標系情報、検出点情報及び画像情報１４０に基づいて「Ｇ」よりも下にある「Ｈ」が選択されるように電子機器を制御する制御信号を生成して出力する。表示装置３は、この制御信号に基づいて図４（ｃ）に示すように、「Ｈ」を選択状態とするメニュー画像３５を表示する。
【００６５】
続いて、以下では、地図画像３００から目的地を選択する動作について説明する。
【００６６】
図５（ａ）〜（ｃ）は、実施の形態に係る操作入力装置の動作について説明するための概略図である。この図５（ａ）〜（ｃ）は、左側には、表示装置３の表示画面３０が示され、右側には、操作入力装置１の操作面１００が示されている。
【００６７】
表示画面３０には、図５（ａ）〜（ｃ）に示すように、地図画像３００が表示されている。
【００６８】
操作者が、図５（ａ）に示すように、カーソル３０１により、地図画像３００に表示されたアイコン３０４の「△△ビル」を選択するつもりで操作面１００に、第１の指７により操作を行ったところ、アイコン３０３の「○×ビル」が選択されたとする。
【００６９】
操作者は、図５（ｂ）に示すように、第２の指８を操作面１００に接触させる。
【００７０】
設定部１２は、この接触により、座標系を第１の座標系から第２の座標系に切り替える。
【００７１】
次に、操作者は、「△△ビル」を選択するため、図５（ｂ）の紙面左方向に第２の指８でフリック操作やなぞり操作等を行う。これは、「△△ビル」は、「○×ビル」の左に位置するからである。
【００７２】
制御部１４は、座標系情報、検出点情報及び画像情報１４０に基づいて「○×ビル」よりも左にある「△△ビル」が選択されるように電子機器を制御する制御信号を生成して出力する。表示装置３は、この制御信号に基づいて図５（ｃ）に示すように、「△△ビル」を選択状態とする地図画像３００を表示する。
【００７３】
（実施の形態の効果）
本実施の形態に係る操作入力装置１は、表示された画像の選択を容易にすることができる。具体的には、操作入力装置１は、操作者が、絶対座標系では、所望の画像の選択が困難な場合、二本目の指を操作面１００に接触させることで相対座標系に切り替えることができ、フリック操作やなぞり操作等を行うことで選択された画像に隣接する画像を選択状態とすることが容易にできる。つまり、操作入力装置１は、操作者が、第１の指７による操作に続いて、第２の指８を操作面１００に接触させることで、座標系を切り替え、さらに第１の指７又は第２の指８でフリック操作やなぞり操作等を行うことで、第１の指７で選択したアイコンの近傍の所望のアイコンを選択させることができる。
【００７４】
また操作入力装置１は、操作者が、所望の画像の方向に複数回フリック操作やなぞり操作等を行うことで、選択された画像から離れた画像を選択状態とすることができ、操作性が高い。
【００７５】
なお上記の実施の形態では、操作入力装置１は、第２の指８の操作により選択されたアイコンを変えたが、これに限定されず、画像が切り替わる等の任意の処理が実行される構成であっても良い。
【００７６】
上記の実施の形態の変形例として、検出部１０が、検出点のｘｙ座標系の座標を算出し、算出された座標値を検出値として出力するように構成されても良い。この検出値は、マルチタッチの場合は、複数の検出点の座標を含む。
【００７７】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００７８】
１…操作入力装置
３…表示装置
５…車両
７…第１の指
８…第２の指
１０…検出部
１２…設定部
１４…制御部
１６…電源部
３０…表示画面
３１…表示画像
３２〜３４，３６，３７，３０３，３０４…アイコン
３５…メニュー画像
５０…フロアコンソール
５１…センターコンソール
１００…操作面
１０１，１０２…センサワイヤ
１１０…駆動制御部
１２０…しきい値
１２１…第１の規定時間
１２２…第２の規定時間
１２３…規定距離
１４０…画像情報
３００…地図画像
３０１…カーソル
【図１】
2014071795.tif 000003
【図２】
2014071795.tif 000004
【図３】
2014071795.tif 000005
【図４】
2014071795.tif 000006
【図５】
2014071795.tif 000007